(57)【特許請求の範囲】
【請求項１】
吸盤本体の中央上部に支持軸を植設するとともに、下端周縁に肉厚段差部を周設し、該吸盤本体の上面に該支持軸を遊嵌してドーム状の押圧盤を、その下端の係着座の外周を前記肉厚段差部の内壁に嵌着して被蓋し、該押圧盤の上部で前記支持軸に押圧手段を係着し、前記吸盤本体が、材質硬度１５°乃至３５°の弾性質素材から成る吸着具において、
前記押圧盤が前記係着座に連接してその外周を始端内面とし、前記吸盤本体の肉厚段差部の上面にその内面を接触させて外周を包蔵し、該肉厚段差部を押圧するひさし部を配設して成る吸着具。
【発明の詳細な説明】
【０００１】
【発明の属する技術分野】
本発明は、吸盤本体の真空吸着力により、壁面や取付け対象面（以下、取着面とする。）に吸着する吸着具に関する。
【０００２】
【従来の技術】
前記取着面の平滑度に左右されない吸着具（実用新案登録第３０１４８４１号）として、先行技術を提案済みであるが、該先行技術は、吸盤本体の吸着面の少なくとも周縁に、膨軟粘着素材を一体に配設したものであるため、その配設にコストを要し、コスト削減の観点から改善が要望されていたものである。
【０００３】
【発明が解決しようとする課題】
そこで、本発明は、先行技術の吸着具において、吸盤本体の材質の性状に着眼し、所定の吸着力を確保しつつ、より取着面の凹凸に食い込み易いゴム硬度の追求と、吸着力をより確実に保持できる吸盤本体と押圧盤との相互構造の追求によって、吸着性能のさらなる向上と、コスト削減を達成し得る吸着具の提供をその目的とするものである。
【０００４】
【課題を解決するための手段】
本発明の吸着具は、吸盤本体の中央上部に支持軸を植設するとともに、下端周縁に肉厚段差部を周設し、該吸盤本体の上面に該支持軸を遊嵌してドーム状の押圧盤を、その下端の係着座の外周を前記肉厚段差部の内壁に嵌着して被蓋し、該押圧盤の上部で前記支持軸に押圧手段を係着し、前記吸盤本体が、材質硬度１５°乃至３５°の弾性質素材から成る吸着具において、
前記押圧盤が前記係着座に連接してその外周を始端内面とし、前記吸盤本体の肉厚段差部の上面にその内面を接触させて外周を包蔵し、該肉厚段差部を押圧するひさし部を配設して成る。
【０００５】
【発明の実施の形態】
吸盤本体の中央上部に配設する支持軸は、吸盤本体に一体に植設されるネジ軸や、先端部に係合孔を横設した棒軸などのものから、回動自在に植設されるネジ軸などが選択され、また、押圧手段は、ネジ軸に螺着するツマミや、棒軸の係合孔に揺動自在に係合される押圧カムレバーなどであり、ひさし部は単に肉厚段差部の上面に接触状態で被蓋するものや、該肉厚段差部の外周を包蔵して被蓋するものなどである。
【０００６】
【実施例】
本発明を実施例により説明すると、図１に示す吸着具ａは、吸盤本体１の中央上部に支持軸としての、ネジ軸２を固定的に一体に植設するとともに、下端周縁に肉厚段差部３を周設し、該吸盤本体１の上面に該ネジ軸２を遊嵌してドーム状の押圧盤４を、その下端外周を前記肉厚段差部３の内壁５に嵌着して被蓋し、該押圧盤４の上部で仮想線で示す係着具を介在させて、前記ネジ軸２に押圧手段としてのツマミ６を螺着して成る吸着具において、前記吸盤本体１が、材質硬度１５°乃至３５°の弾性質素材（シリコーンゴムなど）から成るものである。
したがって、この吸着具ａを使用する状態では、ツマミ６を回わして押圧盤４を押し込むと、逆に吸盤本体１がその中央部のネジ軸２によって引き上げられ、その結果、真空吸着力を発現させるものであるが、このとき、吸盤本体１が前記材質硬度であるため、肉厚段差部３の内壁５の下端に連接する底部（薄肉部）７が、押圧盤４の外周下端（係着座）で押圧されつつ、その下面が適度に伸展するとともに、肉厚段差部３の外周縁下面１０も内部に引き込まれることとなって取着面の凹凸に食い込み、確実に気密性が保持されるのである。
【０００７】
次に、図２に示した吸着具ｂについて説明すると、このものは吸盤本体１の中央上部にネジ軸２を固定的に一体に植設するとともに、下端周縁に肉厚段差部３を周設し、該吸盤本体１の上面に該ネジ軸２を遊嵌してドーム状の押圧盤４を被蓋し、該押圧盤４の上部で仮想線で示す係着具を介在させて、前記ネジ軸２にツマミ６を螺着して成る吸着具において、押圧盤４が吸盤本体１の肉厚段差部３の上面にその内面を接触させて外周を包蔵するひさし部８を配設し、該ひさし部８の始端内面に、肉厚段差部３の垂直な内壁５に内嵌しつつ、該内壁５とともに段差部を形成する底部７に着座する環状の押圧座９（公知押圧盤における下端の係着座）を垂下し、前記吸盤本体１が、材質硬度１５°乃至３５°の弾性質素材（シリコーンゴムなど）から成るものである。
したがって、この吸着具ｂによれば、ツマミ６を回わして押圧盤４を押し込み、真空吸着力を発現するときに、吸盤本体１が前記材質硬度であるため、肉厚段差部３の内壁５の底部７が、押圧盤４の押圧座９の下面に押圧されつつ、その下面が適度に伸展することとなって、取着面の凹凸に食い込むとともに、ひさし部８の内面が肉厚段差部３の上面を押圧するため、吸盤本体１の外周縁下面１０も取着面に密着する状態となり、より確実に気密性が保持されて、より強力な真空吸着力で取着面に吸着されることになる。
【０００８】
また、図３に示した吸着具ｃは、吸盤本体１の中央上部に支持軸としての、先端部に係合孔１１を横設した棒軸１２を固定的に一体に植設するとともに、下端周縁に肉厚段差部３を周設し、該吸盤本体１の上面に該棒軸１２を遊嵌してドーム状の押圧盤４を被蓋し、該押圧盤４の上部で、前記棒軸１２に係合孔１１を介して押圧カムレバー１３を支軸１４に揺動自在に軸支し、前記押圧盤４は吸盤本体１の肉厚段差部３の上面にその内面を接触させて外周を包蔵するひさし部８を配設し、該ひさし部８の始端内面に、肉厚段差部３の垂直な内壁５に内嵌しつつ、該内壁５とともに段差部を形成する底部７に着座する環状の押圧座９を垂下し、前記吸盤本体１が、材質硬度１５°乃至３５°の弾性質素材（シリコーンゴムなど）から成るものである。
したがって、この吸着具ｃにおいても、押圧カムレバー１３を支軸１４を中心に下方へ押し下げればカム面１５が押圧盤４の上面を押圧するとともに、棒軸１２によって吸盤本体１の中央部が引き上げられ、前記の吸着具ａ、ｂと同様に、真空吸着力を発現するとともに、前記材質硬度によって、吸盤本体１の肉厚段差部３の内壁５の底部７が、押圧盤４の押圧座９の下面に押圧されつつ、その下面が適度に伸展することとなって、吸着面が取着面の凹凸になじむように食い込むとともに、ひさし部８の内面が肉厚段差部３の上面を押圧するため、吸盤本体１の外周縁下面（肉厚段差部３の下面）１０も取着面に密着する状態となり、より確実に気密性が保持されて、より強力な真空吸着力で取着面に吸着されるのである。
なお、使用状態では、押圧カムレバー１３に取着したフック１６が係着具として用いられ、このほか、前記の押圧盤４におけるひさし部８は、肉厚段差部３の外周を包蔵しないで、単にその上面に接触状態で被蓋するものなどでも提供され得る。
【０００９】
【発明の効果】
以上のように本発明の吸着具によれば、吸盤本体における剛性と適度な柔軟性を有する材質硬度の実験的知得により、肉厚段差部の内壁の下端に連接する底部の下面が適度に伸展するとともに、該肉厚段差部の外周縁下面も内部に引き込まれることとなって取着面の凹凸になじむように食い込んで、しっかりした真空吸着力の発現に至り、しかも、該吸盤本体の肉厚段差部を押圧し得る押圧盤を有するものにおいては、吸盤本体の外周縁下面も取着面に密着する状態となり、より確実に気密性が保持されて、より強力な真空吸着力で取着面に吸着されるのである。
【図面の簡単な説明】
【図１】本発明に係わる吸着具ａの縦断面図である。
【図２】本発明に係わる吸着具ｂの縦断面図である。
【図３】本発明に係わる吸着具ｃの要部四半縦断面図である。
【符号の説明】
１  吸盤本体
２  ネジ軸
３  肉厚段差部
４  押圧盤
５  内壁
６  ツマミ
７  底部
８  ひさし部
９  押圧座
１０  外周縁下面
１１  係合孔
１２  棒軸
１３  押圧カムレバー
１４  支軸
１５  カム面
１６  フック
ａ  吸着具
ｂ  吸着具
ｃ  吸着具
【図１】
0004474660.tif 000002
【図２】
0004474660.tif 000003
【図３】
0004474660.tif 000004